(57)【要約】【課題】吐出ポンプの装着筒をカバーリングで覆うことで吐出ポンプの不正な取外しを防止するとともに、そのカバー状態を解除できない吐出容器を提供する。【解決手段】胴部４から基筒部１０を経て外面にねじ部１６が形成された先筒部１４に連続する口頸筒８を起立させた容器体２と、先筒部１４の外面に螺合された装着筒２４を介して、シリンダ２８の上部が前記口頸筒８へ着脱可能に装着されるとともに、作動部材３４の下半部を前記シリンダ２８内に上方付勢状態で昇降可能に嵌挿させた吐出ポンプ２０と、前記基筒部１０の周囲に設けたカバーリング４０とを具備する。カバーリング４０は、前記基筒部１０を囲む下方位置から、装着筒２４の外面全体を覆う上方位置へ移動可能であり、かつ上方位置で装着筒２４に対して回動自在であり、装着筒２４の外面から離脱しないように垂直方向に対して係止されている。【選択図】図１
2018172123.tif 000002
【特許請求の範囲】
【請求項１】
胴部(４)から、基筒部(１０)を経て外面にねじ部(１６)が形成された先筒部(１４)に連続する口頸筒(８)を起立させた容器体(２)と、
前記先筒部(１４)の外面に螺合された装着筒(２４)を介して、前記容器体(２)に挿入されたシリンダ(２８)の上部が前記口頸筒(８)へ着脱可能に装着されるとともに、吐出ヘッド(３８)を有する作動部材(３４)の下半部を前記シリンダ(２８)内に上方付勢状態で昇降可能に嵌挿させ、作動部材の昇降により容器体(２)内の液体をシリンダ(２８)内へ吸い上げ、かつシリンダ(２８)内から吐出ヘッド(３８)より吐出することが可能に設けた吐出ポンプ(２０)と、
前記基筒部(１０)の周囲に設けたカバーリング(４０)と
を具備し、
前記カバーリング(４０)は、前記基筒部(１０)を囲む下方位置から、前記装着筒(２４)の外面全体を覆う上方位置へ移動可能であるとともに、この上方位置で装着筒(２４)に対して回動自在であり、
前記上方位置へ移動したカバーリング(４０)が装着筒(２４)の外面から離脱しないように垂直方向に対して係止する係止手段(Ｅ)を設けたことを特徴とする、吐出容器。
【請求項２】
前記係止手段(Ｅ)は、カバーリング(４０)の内面に付設された上側係合突部(４４Ａ)及び下側係合突部(４４Ｂ)で形成されており、
前記上側係合突部(４４Ａ)は可撓性を有し、
カバーリング(４０)が下方位置から上方位置へ移動したときに前記上側係合突部(４４Ａ)が装着筒(２４)の外面を乗り越えて当該装着筒(２４)の上端面に係止するとともに、前記下側係合突部(４４Ｂ)が装着筒(２４)の下端面に突き当たり、上側係合突部(４４Ａ)及び下側係合突部(４４Ｂ)の間に装着筒(２４)を挟持するように形成されたことを特徴とする、請求項１記載の吐出容器。
【請求項３】
前記カバーリング(４０)には、同数の上側係合突部(４４Ａ)及び下側係合突部(４４Ｂ)が周方向に間欠的にかつ上方から見て上側係合突部(４４Ａ)及び下側係合突部(４４Ｂ)が重ならないように互い違いに形成されたことを特徴とする、請求項２記載の吐出容器。
【請求項４】
前記基筒部(１０)の回りで前記カバーリング(４０)を支える仮留め手段(Ｔ)を設け、この仮留め状態で前記上側係合突部(４４Ａ)が装着筒(２４)の下方にあるように形成したことを特徴とする請求項２又は請求項３に記載の吐出容器。
【請求項５】
前記カバーリング(４０)は、前記装着筒(２４)全体を覆うことが可能なカバー筒部(４２)を有するとともに、このカバー筒部(４２)から拡径段部(４６)を介して嵌合用筒部(４８)を垂下させており、
前記カバー筒部(４２)の内面上端部に上側係合突部(４４Ａ)を、当該内面の下端部に下側係合突部(４４Ｂ)をそれぞれ付設させており、
前記基筒部(１０)外面に嵌合凸部(１２)を付設しており、
前記仮留め手段(Ｔ)は、嵌合凸部(１２)と拡径段部(４６)とで形成され、拡径段部(４６)が嵌合凸部(１２)に突き当たるまでカバーリング(４０)を押し下げることでカバーリング(４０)が仮留めされるように形成したことを特徴とする請求項４に記載の吐出容器。
【発明の詳細な説明】
【技術分野】
【０００１】
本発明は、吐出容器に関する。
【背景技術】
【０００２】
例えばホテルなどの業務用で吐出容器を使用する場合に、容器体内に異物を混入されるなどの悪戯を予防する措置を講ずることが望まれる。
こうした要請に応える吐出容器として、口頸部を起立する容器体と、その口頸部に装着された吐出ポンプと、カバーリングとからなり、
吐出ポンプは、容器体の口頸部の外面に螺合された装着筒の上端から内向きフランジを突出するとともに、この内向きフランジと口頸部との間にシリンダの上端の鍔部を挟持させて、当該ポンプを容器体内へ垂設させ、このシリンダ内に作動部材の下半部を昇降自在にかつ上方付勢状態で垂下させてなり、
カバーリングは、前記装着筒の外面に昇降自在に嵌合されており、
装着筒に対するカバーリングの上限位置で装着筒にカバーリングをロックするとともに下限位置でロックを解除するロック機構が設けられており、
上限位置にあるカバーリングを回転させると装着筒がともに回転して口頸部から離脱させることができるとともに、下限位置にあるカバーリングを回転させると、カバーリングが装着筒に対して空転して、装着筒を螺脱させることができないように構成されたものが知られている（特許文献１）。
【先行技術文献】
【特許文献】
【０００３】
【特許文献１】特開２００１−２４０１１０
【発明の概要】
【発明が解決しようとする課題】
【０００４】
特許文献１の吐出容器は、口頸部に対してカバーリングを下限位置にセットしてホテルの客室などに装備させ、この状態でカバーリングを回転しても吐出ポンプを取り外すことができないとともに、従業員が内容物を詰め替えるときには、カバーリングを上限位置に移動して吐出ポンプを容器体から外し、新しい容器体を充填できるようにしている。
しかしながら、例えば中身が洗口剤などである場合には詰め替え又は差し替えを行わないので、一旦、吐出ポンプの装着筒を容器体の口頸部に締め付けて螺着させ、利用者の使用に供した後には、再び吐出ポンプを取り外すことができない形態とすることが望まれる。
もっとも前記装着筒を口頸部に締め付ける際に稀に装着筒の締め付けトルクが規定値よりしまう場合があるため、そうした事態に備えて増し締めの余地を残すことが望ましい。
また吐出容器を家庭で使用する場合には前記悪戯などの心配がないので、容器体及び吐出ポンプは従来の構成を大きく変更することなく、カバーリングを省略した形態で提供することができるようにすることが、コスト面からも好都合である。
【０００５】
本発明の第１の目的は、容器体に装着した吐出ポンプの装着筒の外面をカバーリングで覆うことで吐出ポンプの不正な取外しを防止するとともに、そのカバー状態を解除できない吐出容器を提供することである。
本発明の第２の目的は、容器体への吐出ポンプの取り付け作業を的確に行うことができる吐出容器を提供することである。
本発明の第３の目的は、従来の吐出ポンプの既知の構造にカバーリングを適用することで前記各目的を実現できる吐出容器を提供することである。
【課題を解決するための手段】
【０００６】
第１の手段は、
胴部４から、基筒部１０を経て外面にねじ部１６が形成された先筒部１４に連続する口頸筒８を起立する容器体２と、
前記先筒部１４の外面に螺合された装着筒２４を介して、前記容器体２に挿入されたシリンダ２８の上部が前記口頸筒８へ着脱可能に装着されるとともに、吐出ヘッド３８を有する作動部材３４の下半部を前記シリンダ２８内に上方付勢状態で昇降可能に嵌挿させ、作動部材の昇降により容器体２内の液体をシリンダ２８内へ吸い上げ、かつシリンダ２８内から吐出ヘッド３８より吐出することが可能に設けた吐出ポンプ２０と、
前記基筒部１０の周囲に設けたカバーリング４０と
を具備し、
前記カバーリング４０は、前記基筒部１０を囲む下方位置から、前記装着筒２４の外面全体を覆う上方位置へ移動可能であるとともに、この上方位置で装着筒２４に対して回動自在であり、
前記上方位置へ移動したカバーリング４０が装着筒２４の外面から離脱しないように垂直方向に対して係止する係止手段Ｅを設けた。
【０００７】
本手段では、図１に示す如く、胴部４から、基筒部１０を経て先筒部１４に連続する口頸筒８を起立させた容器体２を設けるとともに、前記先筒部１４に吐出ポンプ２０の装着筒２４を螺着させ、かつ基筒部１０の周囲に設けたカバーリング４０を、同図に示す下方位置から、図６に示すように装着筒２４の外面全体を覆う上方位置へ移動することができるようにしている。この状態では、カバーリング４０が装着筒２４の外面全体を覆っているため、装着筒２４を手で回すことができず、またカバーリング４０を回転させると装着筒２４に対して空転するために、やはり装着筒２４を回転させることができない。従って口頸筒８に対して装着筒２４を螺脱させて吐出ポンプ２０を取り外すことができず、異物を容器体に混入させることもできない。またカバーリング４０は、前記上方位置に移動した後に係止手段Ｅにより装着筒２４から離脱させることができないので、悪戯防止機能が確実なものとなる。
【０００８】
第２の手段は、第１の手段を有し、かつ
前記係止手段Ｅは、カバーリング４０の内面に付設された上側係合突部４４Ａ及び下側係合突部４４Ｂで形成されており、
前記上側係合突部４４Ａは可撓性を有し、
カバーリング４０が下方位置から上方位置へ移動したときに前記上側係合突部４４Ａが装着筒２４の外面を乗り越えて当該装着筒２４の上端面に係止するとともに、前記下側係合突部４４Ｂが装着筒２４の下端面に突き当たり、上側係合突部４４Ａ及び下側係合突部４４Ｂの間に装着筒２４を挟持するように形成された。
【０００９】
本手段では、前述の係止手段Ｅを、図１から図３に示すようにカバーリング４０の内面に付設された上側係合突部４４Ａ及び下側係合突部４４Ｂで形成することを提案している。これら上側係合突部４４Ａ及び下側係合突部４４Ｂは、装着筒２４の上端面及び下端面にそれぞれ当接するように形成している。吐出ポンプ２０の装着筒２４は従来の容器の既知の構造であり、カバーリング４０の取付けのための特別の仕組みを設ける必要はないから、カバーリング４０を省略した形態でも体裁が悪くなったり、その仕組みを設けるためにコストを生ずることがない。
【００１０】
第３の手段は、第２の手段を有し、かつ
前記カバーリング４０には、同数の上側係合突部４４Ａ及び下側係合突部４４Ｂが周方向に間欠的にかつ上方から見て上側係合突部４４Ａ及び下側係合突部４４Ｂが重ならないように互い違いに形成された。
【００１１】
本手段では、カバーリング４０には、同数の上側係合突部４４Ａ及び下側係合突部４４Ｂが図２に示すように周方向に間欠的に、かつ図３に示すように上方から見て上側係合突部４４Ａ及び下側係合突部４４Ｂが重ならないように互い違いに形成された構造を提案している。この構成では、カバーリング４０を金型成形するときに型抜きが容易であるので、製造し易い。
【００１２】
第４の手段は、第２の手段又は第３の手段を有し、かつ
前記基筒部１０の回りで前記カバーリング４０を支える仮留め手段Ｔを設け、この仮留め状態で前記上側係合突部４４Ａが装着筒２４の下方にあるように形成した
【００１３】
本手段では、図１に示す如く、基筒部１０の回りで前記カバーリング４０を支える仮留め手段Ｔを設けている。この仮留め状態で前記上側係合突部４４Ａが装着筒２４の下方にあるので、この状態では、カバーリング４０によって邪魔されることなく、装着筒２４の回転操作を行うことができる。たとえば口頸筒８に対する装着筒２４の締め付けトルクが所定量に足りないと気づいたときに、締め増しを行うことも可能である。
【００１４】
第５の手段は、第４の手段を有し、かつ
前記カバーリング４０は、前記装着筒２４全体を覆うことが可能なカバー筒部４２を有するとともに、このカバー筒部４２から拡径段部４６を介して嵌合用筒部４８を垂下させており、
前記カバー筒部４２の内面上端部に上側係合突部４４Ａを、当該内面の下端部に下側係合突部４４Ｂをそれぞれ付設させており、
前記基筒部１０外面に嵌合凸部１２を付設しており、
前記仮留め手段Ｔは、嵌合凸部１２と拡径段部４６とで形成され、拡径段部４６が嵌合凸部１２に突き当たるまでカバーリング４０を押し下げることでカバーリング４０が仮留めされるように形成した。
【００１５】
本手段では、図１に示す如く、カバーリング４０は、前記装着筒２４全体を覆うことが可能であり、内面の上端部及び下端部にそれぞれ上側係合突部４４Ａ及び下側係合突部４４Ｂが設けたカバー筒部４２と、このカバー筒部４２から拡径段部４６を介して垂下した嵌合用筒部４８とを有する。基筒部１０の外面には嵌合凸部１２が付設されており、この嵌合凸部１２と拡径段部４６とで前述の仮留め手段Ｔを形成している。これらの構造は簡易であるので、廉価に製造できる。
【発明の効果】
【００１６】
第１の手段に係る発明によれば、カバーリング４０は口頸筒８の基筒部１０を囲む下方位置から、前記装着筒２４の外面全体を覆う上方位置へ移動することにより装着筒２４に対して回動自在であり、かつ上方位置でカバーリング４０が上方位置へ移動した後に装着筒２４の外面から離脱しないようにカバーリング４０を係止する係止手段Ｅを設けたから、異物を混入させるなどの不正行為を確実とすることができる。
第２の手段に係る発明によれば、前記係止手段Ｅは、カバーリング４０の内部に付設された上側係合突部４４Ａ及び下側係合突部４４Ｂで形成され、カバーリング４０が上方位置で移動したときにそれら上側係合突部４４Ａ及び下側係合突部４４Ｂの間に装着筒２４が挟持されるように設けたので、装着筒２４を含む吐出ポンプ２０は既存の構造でよく、既知の吐出容器に本発明のカバーリング４０を適用できる。
第３の手段に係る発明によれば、前記カバーリング４０には、同数の上側係合突部４４Ａ及び下側係合突部４４Ｂが周方向に間欠的にかつ上方から見て上側係合突部４４Ａ及び下側係合突部４４Ｂが重ならないように互い違いに形成されているから、前記カバーリング４０を金型成形することが容易である。
第４の手段に係る発明によれば、前記基筒部１０の回りで前記カバーリング４０を支える仮留め手段Ｔを設け、この仮留め状態で前記上側係合突部４４Ａが装着筒２４の下方にあるから、口頸筒８に吐出ポンプ２０の装着筒２４を着脱する際にカバーリング４０が邪魔になることがなく、必要により装着筒２４の締め増しを行うことができる。
第５の手段に係る発明によれば、カバーリング４０は、装着筒２４全体を覆うことが可能なカバー筒部４２から拡径段部４６を介して嵌合用筒部４８を垂下させており、拡径段部４６が基筒部１０の外面に付設された嵌合凸部１２に突き当たることで仮留め手段Ｔとして機能するようにしたから、カバーリング４０の構成を簡易とすることができる。
【図面の簡単な説明】
【００１７】
【図１】本発明の実施形態に係る吐出容器の一部を切り欠いた側面図である。
【図２】図１の吐出容器の主要部材（カバーリング）の縦断面図である。
【図３】図２の主要部材の平面図である。
【図４】図１の吐出容器の各部材を分解状態で示す説明図である。
【図５】図４の各部材を組み付ける作業の説明図である。
【図６】図４の組み付け作業の後にカバーリングを所定箇所に移動する作業の説明図である。
【発明を実施するための最良の形態】
【００１８】
図１から図６は、本発明の実施形態に係る吐出容器を示している。この吐出容器は、容器体２と、吐出ポンプ２０と、カバーリング４０とで形成されている。これら各部材は、合成樹脂や金属で形成することができる。
【００１９】
容器体２は、胴部４から肩部６を介して口頸筒８を起立している。この口頸筒８は、図１に示す初期状態で後述のカバーリング４０をセットするための基筒部１０と、後述の装着筒２４を螺合させるための先筒部１４とを有する。
前記基筒部１０は、先筒部１４より大径で長く形成されている。図示例では、肩部６の上端から縦筒部１０ａを経て上端小径のテーパ状筒部１０ｂへ連設させており、縦筒部１０ａの下端寄りには嵌合凸部１２が周設されている。前記縦筒部１０ａは、嵌合凸部１２が設けられた箇所を除いて、後述の装着筒２４とほぼ同外径に形成されている。
前記先筒部１４の外面には図４に示す如くねじ部１６が形成されている。
【００２０】
吐出ポンプ２０は、従来公知の構成であり、図示例では、装着部材２２と、シリンダ２８と、抜止め部材３２と、作動部材３４とで構成されているが、これらの構造は適宜変更することができる。
前記装着部材２２は、前記口頸筒８の先筒部１４の外面に螺合させた装着筒２４を有し、この装着筒２４の上端から、図４に示す内向きフランジ２６を突設している。
前記シリンダ２８は、そのシリンダ周壁の上端から外方突出する鍔部３０を有する（図４参照）。そして鍔部３０を前記口頸筒８と内向きフランジ２６との間に挟持させることにより、容器体２内に前記シリンダ２８が垂設されている。シリンダ２８の下部からは容器体２の底部側へ吸い上げパイプ２９が垂下されている。
前記抜止め部材３２は、後述の作動部材３４の抜け出しを防止するためにシリンダ２８の上部に取り付けられた環状の部材である。好適な一例として、抜止め部材３２は、頂壁３２ａの裏面から、内筒及び外筒を２重筒状に垂設させるとともに、上記シリンダ２８の周壁を鍔部３０より上方へ延長し、この延長壁部の内外面に前記内筒及び外筒を嵌着させて固定するとよい。
作動部材３４は、その下半部をシリンダ２８内に上方付勢状態で昇降可能に挿入させるとともに、シリンダ２８内から抜止め部材３２の内部を通るステム３６を起立し、このステムの上端に吐出ヘッド３８を付設している。吐出ヘッド３８は吐出ノズル３８ａを有する。ステム３６の上部には図５に示すように螺条３７が形成されており、図１の状態では、前記抜止め部材３２の内筒に作動部材３４をネジ留めさせている。もっともこれらの構造は適宜変更することができる。
図示はしないが、シリンダ２８の下部には第１逆止弁が、作動部材３４の適所には第２逆止弁がそれぞれ形成されており、シリンダ２８に対する作動部材３４の上下動により、液体を容器体２内から第１逆止弁を介してシリンダ２８内へ吸い込み、かつ第２逆止弁を介して吐出ノズル３８ａから外部へ吐出できるように構成している。
【００２１】
カバーリング４０は、図１において、前記口頸筒８の基筒部１０を囲むように設けられており、図示例において、基筒部１０と同程度の長さを有する。カバーリング４０は、図１に示す下方位置から図６に示す上方位置へ移動可能に設けられている。
図示のカバーリング４０は、カバー筒部４２の下端から拡径段部４６を介してカバー筒部４２より大径の嵌合用筒部４８を垂下させてなる。
前記カバー筒部４２は、前記装着筒２４の外面全体を覆うことが可能な筒長を有する。
本実施形態では、図２に示す如く、カバー筒部４２の内面上端部に上側係合突部４４Ａが、当該内面の下端部に下側係合突部４４Ｂがそれぞれ付設されている。カバーリング４０が図６に示す上方位置にある状態では、上側係合突部４４Ａが装着筒２４の上端面に、下側係合突部４４Ｂが装着筒２４の下端面にそれぞれ当接されることにより、上側係合突部４４Ａ及び下側係合突部４４Ｂの間に装着筒２４が挟持される。これら上側係合突部４４Ａ及び下側係合突部４４Ｂは、前記カバー筒部４２が図６に示す上方位置から上方及び下方へ離脱することを防止する係止手段Ｅを形成する。
前記上側係合突部４４Ａ及び下側係合突部４４Ｂは、カバー筒部４２の周方向に間欠的に複数設けることが望ましい。さらに好適な図示例では、同数の上側係合突部４４Ａ及び下側係合突部４４Ｂを、上方から見て重ならないように図３に示すように互い違いに形成している。これにより、カバーリング４０を金型で成形することが容易となる。
図示の上側係合突部４４Ａは、カバー筒部４２の上端部から下内方へ突出した逆刺状の突片であり、図５の状態からカバーリング４０を押し上げるときには、装着筒２４の外面に当接して弾性的に撓むとともに、装着筒２４を乗り越えたときには、原形状に復帰し、装着筒２４の上端面に係止するように形成されている。
下側係合突部４４Ｂは、カバー筒部４２の内面下端部から水平に内方突設されている。もっともこの構造は適宜変更することができ、例えば下側係合突部４４Ｂをカバー筒部４２の内面下端部から下内方或いは上内方へ突出しても構わない。
前記嵌合用筒部４８は、前記拡径段部４６より直筒状に垂下しており、嵌合用筒部４８の内面には前記嵌合凸部１２がスライド可能に当接されている。
嵌合凸部１２と拡径段部４６とは、カバーリング４０の仮留め手段Ｔを形成している。すなわち、前記口頸筒８の回りにカバーリング４０を嵌合させる際に、拡径段部４６が嵌合凸部１２に突き当たるまでカバーリング４０を下降させることで、カバーリング４０が一定の高さで仮留めされる。その状態では、上側係合突部４４Ａは、装着筒２４の下方にあるように設計されている。従って口頸筒８へ装着筒２４を螺着させるときに、カバーリング４０が邪魔になることがない。
本願容器の組立の際には、前記カバーリング４０は、予め容器体２の口頸筒８の基筒部１０に嵌合させておき、この状態で容器体２に内容物を充填するとよい。次に口頸筒８の先筒部１４に吐出ポンプ２０の装着筒２４を嵌挿すると、図１の構成となる。
【００２２】
前記構成において、図１の状態は、商品としての流通段階での態様であり、装着筒２４は未だカバーリング４０で覆われていないので、装着筒２４を操作することができる。この状態で、吐出ヘッド３８を抜止め部材３２に対して回転して、図５に示す如く、吐出ヘッド３８をステム３６とともに引き上げる。初期状態では、シリンダ２８の内部には空気が入っているので、幾度か作動部材３４を昇降させて空気を排気する（初期プライミング）と液体を吐出できる状態になる。
次にカバーリング４０を図６に示すように引き上げると、上側係合突部４４Ａ及び下側係合突部４４Ｂが装着筒２４の上下両端部に係止するので、装着筒２４から離脱させることができない。この状態では、カバーリング４０を回転操作しても、装着筒２４に対してカバーリング４０が空転するので、装着筒２４を口頸筒８から螺脱させることができない。またカバーリング４０は装着筒２４の外面全体を覆っているので、装着筒２４を直接手で回転させることもできない。従って、容器体に異物を混入する悪戯を完全に防止できる。
なお、前記吐出ヘッド３８を上昇させてからカバーリング４０を上昇させる理由を説明する。仮に吐出ヘッド３８を上昇させる前にカバーリング４０を装着筒２４の回りにセットすると、口頸筒８に対して装着筒２４を締め付ける作業において稀に締め付けトルクが規定値より低かった場合に、装着筒２４をさらに締め増すことができず、使用不可能となってしまう可能性がある。こうした事態を回避し、締め増しの余地を残すために、先に吐出ヘッド３８を上昇させることを先行させるのである。
【符号の説明】
【００２３】
２…容器体  ４…胴部  ６…肩部  ８…口頸筒
１０…基筒部  １０ａ…縦筒部  １０ｂ…テーパ状筒部  １２…嵌合凸部
１４…先筒部  １６…ねじ部
２０…吐出ポンプ  ２２…装着部材  ２４…装着筒  ２６…内向きフランジ
２８…シリンダ  ２９…吸上げパイプ  ３０…鍔部
３２…抜止め部材  ３２ａ…頂壁
３４…作動部材  ３６…ステム  ３７…螺条  ３８…吐出ヘッド  ３８ａ…吐出ノズル
４０…カバーリング  ４２…カバー筒部  ４４Ａ…上側係合突部
４４Ｂ…下側係合突部 ４６…拡径段部  ４８…嵌合用筒部
Ｅ…係止手段  Ｔ…仮留め手段
【図１】
2018172123.tif 000003
【図２】
2018172123.tif 000004
【図３】
2018172123.tif 000005
【図４】
2018172123.tif 000006
【図５】
2018172123.tif 000007
【図６】
2018172123.tif 000008